(57)【要約】【課題】タクシーメータの操作性を向上させることが可能な携帯端末機を用いたタクシーメータ装置を提供する。【解決手段】タクシーメータ１１、及び該タクシーメータ１１と通信可能なタブレット端末１２を備えたタクシーメータ装置１００であり、タクシーメータ１１とタブレット端末１２を通信により接続することにより、タブレット端末１２の表示部３１にタクシーメータ１１の表示部２１に表示される画像と同様の画像が表示される。そして、運転者はタブレット端末１２のタッチパネル３２にて入力操作を行うことにより、例えば、「空車」「実車」「支払」等の選択操作を行うことができる。このため、タクシーメータ１１が運転席から離れた位置に設置されている場合であっても、タブレット端末１２を用いることにより容易に操作することが可能となる。【選択図】図１
2013088885.tif 000002
【特許請求の範囲】
【請求項１】
タクシーメータ、及び該タクシーメータと通信可能な携帯端末機とを備えたタクシーメータ装置であって、
前記タクシーメータは、前記携帯端末機との間でデータの送受信を行うメータ側通信手段を備え、
前記携帯端末機は、
外部機器との間でデータを送受信する端末側通信手段と、
前記タクシーメータで実行されるプログラムを記憶する記憶手段と、
前記タクシーメータとの間での通信が行われている際に、前記タクシーメータの操作に関連する操作アイコンを表示する端末側表示手段と、
操作者が前記操作アイコンに触れたことを検出する端末側接触センサと、を備え、
前記携帯端末機は、前記端末側接触センサの操作入力に対応する操作信号を前記タクシーメータに送信すると共に、
前記タクシーメータは、前記携帯端末機より送信される操作信号に応じた処理を実行することを特徴とする携帯端末機を用いたタクシーメータ装置。
【請求項２】
前記タクシーメータは、メータ側表示手段、及び該メータ側表示手段上での操作を検出するメータ側接触センサを有し、
前記タクシーメータと前記携帯端末機との間で通信が行われている場合には、前記端末側接触センサ、及び前記メータ側接触センサの双方において、操作入力を可能とすることを特徴とする請求項１に記載の携帯端末機を用いたタクシーメータ装置。
【請求項３】
前記端末側表示手段は、前記メータ側表示手段に表示される操作アイコンとは異なる少なくとも１つの操作アイコンを表示することを特徴とする請求項２に記載の携帯端末機を用いたタクシーメータ装置。
【請求項４】
前記端末側表示手段は、前記メータ側接触センサ、または前記端末側接触センサにて、タクシー料金の支払いに関する操作アイコンが操作された際に、前記端末側表示手段にて決済種別を示す少なくとも一つの操作アイコンを表示することを特徴とする請求項２または請求項３のいずれかに記載の携帯端末機を用いたタクシーメータ装置。
【発明の詳細な説明】
【技術分野】
【０００１】
本発明は、携帯端末機を用いてタクシーメータを操作するタクシーメータ装置に関する。
【背景技術】
【０００２】
一般的にタクシーに搭載されるタクシーメータは、車両インパネ付近の運転者が容易に手の届く位置に設けられている。しかし、昨今においてはタクシー専用車両以外の車両についてタクシーメータを取り付けることが多くなっており、運転席から離れた位置にタクシーメータを取り付けざるを得ない場合が増えている。この場合には、運転者は「空車」ボタンや「支払」ボタン等の操作を行う際に、身を乗り出し且つ手を伸ばす等して操作する必要があり、操作性が悪いという問題がある。
【０００３】
一方、タクシーメータと携帯電話機との間の通信を行う従来例として、例えば、特開２００２−３３４３５４号公報（特許文献１）に記載されたものが知られているが、該特許文献１は、タクシーメータの蓄積情報を携帯電話機に送信することにより、別の場所でタクシーの情報を閲覧することを目的としており、操作性を向上させることを目的としていない。
【先行技術文献】
【特許文献】
【０００４】
【特許文献１】特開２００２−３３４３５４号公報
【発明の概要】
【発明が解決しようとする課題】
【０００５】
上述したように、従来におけるタクシーメータは、運転者から容易に手が届く位置に取り付けられるとは限らず、運転者から離れた位置に取り付けられる場合には、操作性が悪いという問題があった。
【０００６】
本発明は、このような従来の課題を解決するためになされたものであり、その目的とするところは、タクシーメータの操作性を向上させることが可能な携帯端末機を用いたタクシーメータ装置を提供することにある。
【課題を解決するための手段】
【０００７】
上記目的を達成するため、本願請求項１に記載の発明は、タクシーメータ（１１）、及び該タクシーメータと通信可能な携帯端末機（例えば、タブレット端末１２）とを備えたタクシーメータ装置であって、前記タクシーメータは、前記携帯端末機との間でデータの送受信を行うメータ側通信手段（例えば、無線モジュール２７）を備え、前記携帯端末機は、外部機器との間でデータを送受信する端末側通信手段（例えば、通信部３６）と、前記タクシーメータで実行されるプログラムを記憶する記憶手段（例えば、ＲＡＭ３３）と、前記タクシーメータとの間での通信が行われている際に、前記タクシーメータの操作に関連する操作アイコンを表示する端末側表示手段（例えば、表示部３１）と、操作者が前記操作アイコンに触れたことを検出する端末側接触センサ（例えば、タッチパネル３２）と、を備え、前記携帯端末機は、前記端末側接触センサの操作入力に対応する操作信号を前記タクシーメータに送信すると共に、前記タクシーメータは、前記携帯端末機より送信される操作信号に応じた処理を実行することを特徴とする。
【０００８】
請求項２に記載の発明は、前記タクシーメータは、メータ側表示手段（例えば、表示部２１）、及び該メータ側表示手段上での操作を検出するメータ側接触センサ（例えば、操作部２２）を有し、前記タクシーメータと前記携帯端末機との間で通信が行われている場合には、前記端末側接触センサ、及び前記メータ側接触センサの双方において、操作入力を可能とすることを特徴とする。
【０００９】
請求項３に記載の発明は、前記端末側表示手段は、前記メータ側表示手段に表示される操作アイコンとは異なる少なくとも１つの操作アイコンを表示することを特徴とする。
【００１０】
請求項４に記載の発明は、前記端末側表示手段は、前記メータ側接触センサ、または前記端末側接触センサにて、タクシー料金の支払いに関する操作アイコンが操作された際に、前記端末側表示手段にて決済種別を示す少なくとも一つの操作アイコンを表示することを特徴とする。
【発明の効果】
【００１１】
本願請求項１の発明では、タクシーメータと携帯端末機とが通信により接続され、タクシーメータでの操作と同等の操作を携帯端末機により行うことができるので、タクシーメータが運転席から離れている場所に設置されている場合であっても、運転者は携帯端末機を操作することにより、容易にタクシーメータの操作が可能となる。
【００１２】
請求項２の発明では、メータ側接触センサ、及び端末側接触センサの双方での操作入力が可能となるので、運転者は操作し易い方の接触センサを用いてタクシーメータへの入力操作を行うことが可能となり、操作性を向上させることが可能となる。
【００１３】
請求項３の発明では、メータ側表示手段に表示される操作アイコンと、端末側表示手段に表示される操作アイコンの少なくとも一部が異なるので、タクシーメータ側、及び携帯端末機側の双方でそれぞれ異なる操作を行うことができ、操作性を向上させることができる。
【００１４】
請求項４の発明では、運転者がタクシー料金の支払いに関する操作を行った場合には、端末側表示手段に決済種別を示す少なくとも一つの操作アイコンが表示されるので、決済種別の選択を容易に行うことが可能となる。
【図面の簡単な説明】
【００１５】
【図１】本発明の一実施形態に係るタクシーメータ装置の構成を示すブロック図である。
【図２】本発明の一実施形態に係るタクシーメータ装置の、処理手順を示すフローチャートである。
【図３】本発明の一実施形態に係るタクシーメータ装置の、第１の表示例を示す説明図である。
【図４】本発明の一実施形態に係るタクシーメータ装置の、第２の表示例を示す説明図である。
【図５】本発明の一実施形態に係るタクシーメータ装置の、第３の表示例を示す説明図である。
【発明を実施するための形態】
【００１６】
以下、本発明の実施形態を図面に基づいて説明する。図１は、本発明の一実施形態に係る携帯端末機を用いたタクシーメータ装置１００の構成を示すブロック図である。図１に示すように、このタクシーメータ装置１００は、タクシーに搭載されるタクシーメータ１１と、該タクシーメータ１１と通信によりデータの送受信が可能なタブレット端末（携帯端末機）１２を備えている。なお、タブレット端末１２は「スマートフォン」と称することもある。
【００１７】
タクシーメータ１１は、カラー液晶パネルで構成され各種の画像を表示する表示部（メータ側表示手段）２１と、操作者によるタッチ操作により操作信号を入力するタッチパネル式の操作部（メータ側接触センサ）２２と、営業データ格納部２３と、設定データ格納部２４と、外部機器との接続を行う外部Ｉ／Ｆ２５と、メモリカードへのデータの書き込み、及び読み取りを行うメモリカードホルダ２６と、タブレット端末１２との間でデータの送受信を行う無線モジュール（メータ側通信手段）２７と、演算部２０と、を備えている。
【００１８】
営業データ格納部２３は、例えばＲＡＭで構成され、タクシー料金や乗車時間等のタクシー営業に関する各種のデータを記憶する。また、設定データ格納部２４は、例えばＲＯＭで構成され、タクシーメータ１１の制御プログラム等の各種の設定データを記憶する。
【００１９】
演算部２０は、タクシーメータ１１全体を総括的に制御する。特に、該演算部２０は、タブレット端末１２より接続要求があった場合には、無線モジュール２７によりタブレット端末１２との間で通信を行い、表示部２１に表示されている画像データをタブレット端末１２に送信する制御を行う。また、タブレット端末１２で操作された操作データを受信して、この操作データに応じた処理を実行する。
【００２０】
タブレット端末１２は、操作者が携行可能な携帯端末機であり、各種のデータを表示する表示部（端末側表示手段）３１と、表示部３１に表示された操作画面上での操作入力を検出するタッチパネル（端末側接触センサ）３２と、通信に関する各種のプログラム及びタクシーメータ１１との間のデータの送受信プログラムを記憶するＲＯＭ３４と、ＲＡＭ３３と、タブレット端末１２の現在位置を検出するＧＰＳ３５と、外部機器との間で通信を行う通信部（端末側通信手段）３６と、当該タブレット端末１２に駆動用の電力を供給するバッテリ３７と、ＣＰＵ３０と、を備えている。
【００２１】
ＲＡＭ３３は、表示部３１に表示する画像データやその他の処理に必要な各種のデータを記憶すると共に、タクシーメータで実行されるアプリケーションを記憶する。即ち、ＲＡＭ３３は、タクシーメータ１１で実行されるプログラムを記憶する記憶手段としての機能を有する。
【００２２】
ＣＰＵ３０は、タブレット端末１２全体を総括的に制御する機能を備え、特にタクシーメータ１１との間で無線通信が開始された場合に、タクシーメータ１１より送信される画像データを取得して、この画像データを表示部３１に表示する処理を行い、また、タッチパネル３２で操作された操作データを通信部３６を介してタクシーメータ１１に送信する処理を実行する。
【００２３】
次に、上述のように構成された本実施形態に係るタクシーメータ装置１００の、タブレット端末１２の作用について、図２に示すフローチャートを参照して説明する。
【００２４】
タブレット端末１２とタクシーメータ１１との通信が開始され、タクシーメータ１１の操作アプリケーションが開始されると、該タブレット端末１２が入力待ち状態となる（ステップＳ１１）。
【００２５】
そして、ＣＰＵ３０は、該タブレット端末１２に入力が発生したか否かを判断し、入力が発生したと判断した場合には（ステップＳ１２でＹＥＳ）、この入力値がタクシーメータ１１から送信されたステートの受信であるか否かが判断される（ステップＳ１３）。そして、タクシーメータ１１から送信されたステートの受信である場合には（ステップＳ１３でＹＥＳ）、このステートに応じた画面を表示部３１に表示する。更に、このステートに応じたデータ処理を実行する（ステップＳ１４）。
【００２６】
その結果、例えば、タクシーが空車状態で、図３（ａ）に示すようにタクシーメータ１１の表示部２１に「空車」の文字が大きく表示され、更に、「実車」、「迎車」の操作アイコンが表示され、加えて「休憩」、「貸切」の操作アイコンが表示されている場合には、図３（ｂ）に示すように、表示部２１に表示された画像と同様の画像がタブレット端末１２の表示部３１に表示される。その結果、運転者はタブレット端末１２を用いたタクシーメータ１１の操作が可能となる。
【００２７】
その後、タブレット端末１２の表示部３１に画像が表示されたことがタクシーメータ１１に通知される（ステップＳ１５）。その後、処理をステップＳ１１に戻す。
【００２８】
一方、ステップＳ１３の処理で、入力値がタクシーメータ１１から送信されたステートの受信でないと判断された場合には（ステップＳ１３でＮＯ）、ＣＰＵ３０は、入力値がタッチパネル３２上での操作入力であるか否かを判断する（ステップＳ１６）。
【００２９】
そして、タッチパネル３２上での操作入力であると判断された場合には（ステップＳ１６でＹＥＳ）、ＣＰＵ３０は、この操作入力に応じた画面を表示部３１に表示し、更に、この操作入力に応じたデータ処理を実行する（ステップＳ１７）。更に、この操作入力データをタクシーメータ１１に送信する（ステップＳ１８）。
【００３０】
その結果、例えば図３（ｂ）に示した画面上で、運転者が「実車」のアイコンを操作した場合には、タブレット端末１２の表示部３１にて、図４（ｂ）に示すように「実車」の文字が表示され、更に、「支払」、「高速」、「障割」（障害者割引の意味）、「迎車」の操作アイコンが表示される。即ち、現在「実車」の状態であり、「支払い」、「高速」、「障割」、「迎車」の操作が選択可能であることが示されている。更に、これと連動して、図４（ａ）に示すように、タクシーメータ１１の表示部２１には「実車」の文字が大きく表示され、現在の運賃が「７１０円」であることが表示される。また、「支払」、「高速」の操作アイコンが表示され、且つ、「障割」、「迎車」の操作アイコンが表示される。その結果、タクシーメータ１１の操作部２２において、「支払い」、「高速」、「障割」、「迎車」の操作が選択可能であることが示される。
【００３１】
更に、図４（ａ），（ｂ）に示した実車状態から、運転者がタブレット端末１２の表示部３１上で「支払」の操作アイコンを操作した場合には、タクシーメータ１１の表示部２１に、図５（ａ）に示す画像が表示される。即ち、タクシーメータ１１の表示部２１に、運賃が７９０円、割引が８０円、支払料金が７１０円であることが示され、タクシーメータ１１にて「空車」、「実車」、「高速」、「障割」、「迎車」の操作アイコンが表示される。一方、タブレット端末１２の表示部３１には、図５（ｂ）に示すように、「決済種別を選択してください」という文字が表示され、更に、「ＩＣ」「チケット」「未収」「クレジット」「置換」「割引」「固定料金」「高速代」の操作アイコンが表示される。
【００３２】
即ち、タクシーメータ１１の表示部２１に表示される操作アイコンと、タブレット端末１２の表示部３１に表示される操作アイコンが相違する。また、タブレット端末１２の表示部３１には、決済種別を示す複数の操作アイコンが表示される。
【００３３】
従って、運転者は、タクシーメータ１１を操作することにより料金の決済処理を行うことが可能となり、その一方で、タブレット端末１２を操作することにより、ＩＣカード、クレジットカード、チケット等による決済種別の選択が可能となる。
【００３４】
その後、タクシーメータ１１の表示部２１に表示された「空車」の操作アイコンが操作されると、表示部２１の画面を空車画面に切り替えることができる。
【００３５】
その後、ＣＰＵ３０は、入力値の状態を保持し（ステップＳ１９）、ステップＳ１１に処理を戻す。
【００３６】
また、ステップＳ１６の処理で、入力値がタブレット端末１２のタッチパネル３２上での操作入力でないと判断された場合には（ステップＳ１６でＮＯ）、ＣＰＵ３０は、終了コマンドの受信であるか否かを判断する（ステップＳ２０）。
【００３７】
そして、終了コマンドを受信した場合には（ステップＳ２０でＹＥＳ）、タクシーメータ１１の操作アプリケーションを終了する（ステップＳ２１）。一方、終了コマンドを受信していない場合には（ステップＳ２０でＮＯ）、ステップＳ１１に処理を戻す。
【００３８】
こうして、タブレット端末１２を用いて、実質的にタクシーメータ１１の操作と同様の操作を行うことができるのである。
【００３９】
このようにして、本実施形態に係るタクシーメータ装置１００では、タクシーの運転者が所持するタブレット端末１２とタクシーメータ１１との間の無線通信により、従来タクシーメータ１１でのみ操作することが可能とされていた操作をタブレット端末１２を用いて操作することができるようになるので、タクシーメータ１１の取り付け位置が運転席から離れている場合であっても、運転者は容易にタクシーメータ１１を操作することが可能となる。
【００４０】
また、タクシーメータ１１とタブレット端末１２とが通信により接続されている場合であっても、タブレット端末１２のみならず、タクシーメータ１１の操作部２２による操作が可能であるので、運転者はタクシーメータ１１及びタブレット端末１２のいずれかを用いて操作することができ、操作性を向上させることができる。
【００４１】
更に、タクシーメータ１１の表示部２１に表示される操作アイコンと、タブレット端末１２の表示部３１に表示される操作アイコンのうちの少なくとも一部が異なるように設定することにより、運転者による操作の汎用性を向上させ、より一層操作性を向上させることができる。
【００４２】
また、「支払」の操作アイコンが操作された場合には、図５（ａ），（ｂ）に示したように、タクシーメータ１１の表示部２１に表示される操作アイコンと、タブレット端末１２の表示部３１に表示される操作アイコンが相違し、タブレット端末１２の表示部３１にのみ決済種別を選択する操作アイコンが表示されるので、運転者はタブレット端末１２を操作することにより決済種別の選択を容易に行うことができるようになる。
【００４３】
以上、本発明の携帯端末機を用いたタクシーメータ装置を図示の実施形態に基づいて説明したが、本発明はこれに限定されるものではなく、各部の構成は、同様の機能を有する任意の構成のものに置き換えることができる。
【００４４】
例えば、上述した実施形態では、携帯端末機の例としてタブレット端末１２を例に挙げて説明したが、本発明はこれに限定されず、タッチパネルを用いて操作可能な他の携帯端末機とすることも可能である。
【産業上の利用可能性】
【００４５】
本発明は、タクシーメータの操作を容易に実行することに利用することができる。
【符号の説明】
【００４６】
１１  タクシーメータ
１２  タブレット端末（携帯端末機）
２０  演算部
２１  表示部
２２  操作部
２３  営業データ格納部
２４  設定データ格納部
２５  外部Ｉ／Ｆ
２６  メモリカードホルダ
２７  無線モジュール  
３０  ＣＰＵ
３１  表示部
３２  タッチパネル
３３  ＲＡＭ
３４  ＲＯＭ
３５  ＧＰＳ
３６  通信部
３７  バッテリ  
１００  タクシーメータ装置
【図１】
2013088885.tif 000003
【図２】
2013088885.tif 000004
【図３】
2013088885.tif 000005
【図４】
2013088885.tif 000006
【図５】
2013088885.tif 000007